(57)【要約】【課題】医用画像の読影効率を向上させる。【解決手段】乳房画像を病変の種類毎のアルゴリズムに従って解析して得られたマンモＣＡＤ結果ファイルに基づいて、病変の種類毎に病変の位置を図示したレイヤー画像（腫瘤のレイヤー画像Ｄ４、微小石灰化のレイヤー画像Ｄ５）をそれぞれ生成する。腫瘤のＣＡＤ結果及び微小石灰化のＣＡＤ結果を表示する場合には、乳房画像の表示用ビットマップ画像Ｄ３に、腫瘤のレイヤー画像Ｄ４及び微小石灰化のレイヤー画像Ｄ５を重ねて表示させる。腫瘤のＣＡＤ結果のみを表示する場合には、乳房画像の表示用ビットマップ画像Ｄ３に腫瘤のレイヤー画像Ｄ４を重ねて表示させる。微小石灰化のＣＡＤ結果のみを表示する場合には、乳房画像の表示用ビットマップ画像Ｄ３に微小石灰化のレイヤー画像Ｄ５を重ねて表示させる。【選択図】図７
2011110175.tif 000002
【特許請求の範囲】
【請求項１】
医用画像と当該医用画像を病変の種類毎のアルゴリズムに従って解析して得られた病変解析情報とを対応付けて記憶する記憶手段と、
表示手段と、
ユーザによる操作指示を受け付ける操作手段と、
前記病変解析情報に基づいて、病変の種類毎に当該病変の位置を図示したレイヤー画像をそれぞれ生成し、前記病変の種類毎に当該病変の位置を表示するか否かの選択指示を前記操作手段から受け付け、前記表示すると選択された病変の種類のレイヤー画像のみを前記医用画像に重ねて前記表示手段に表示させる制御手段と、
を備える医用画像表示システム。
【請求項２】
前記医用画像は、乳房をＸ線撮影した乳房画像であり、
前記病変の種類は、腫瘤及び微小石灰化を含む、
請求項１に記載の医用画像表示システム。
【請求項３】
コンピュータを、
医用画像を病変の種類毎のアルゴリズムに従って解析して得られた病変解析情報に基づいて、病変の種類毎に当該病変の位置を図示したレイヤー画像をそれぞれ生成する手段、
前記病変の種類毎に当該病変の位置を表示するか否かの選択指示を受け付ける手段、
前記表示すると選択された病変の種類のレイヤー画像のみを前記医用画像に重ねて表示手段に表示させる手段、
として機能させるためのプログラム。
【請求項４】
前記医用画像は、乳房をＸ線撮影した乳房画像であり、
前記病変の種類は、腫瘤及び微小石灰化を含む、
請求項３に記載のプログラム。
【発明の詳細な説明】
【技術分野】
【０００１】
本発明は、医用画像表示システム及びプログラムに関する。
【背景技術】
【０００２】
近年、女性の乳癌の罹患率が上昇傾向にある。乳癌は、早期に発見されれば治癒率が高い病気であり、早期発見のため、定期的に検診を行うことが推奨されている。乳癌の発見率を向上させるためには、乳房をＸ線撮影した画像に対してオーバーリーディングを行うことが有効であると言われている。オーバーリーディングとは、患者を撮影した医用画像を第１の医師が読影した後、第２の医師が読影を行うことである。しかし、現在、乳癌検診において、乳房画像の読影医の数は絶対的に不足しており、十分な検診を行うことができないのが実情であった。
【０００３】
そのような状況の中、コンピュータ技術の発展により、コンピュータによる診断支援機能（ＣＡＤ：Computer-Aided Diagnosis）が登場した。この機能は、デジタル撮影された医用画像（主にＣＲ画像）の解析を行い、病変と思われる領域に対して注釈を付加してディスプレイ上で表示を行い、医師の読影を助ける機能である。乳房画像に対しては、腫瘤や微小石灰化等の病変の可能性がある病変候補領域が検出される。デジタル画像診断においてＣＡＤの有効性が確認されており、様々なメーカから製品が出されている。
【０００４】
例えば、予め指定された条件に合致する部分にマークを付けて医用画像を表示する画像処理方法において、各マークの表示／非表示を選択可能とするものが提案されている（特許文献１参照）。条件として、例えば、悪性腫瘍等の病変の疑わしい部分を全てマークする、より悪性度の高い部分に限定してマークする、最も悪性度の高い部分に限定してマークする等が挙げられる。
【先行技術文献】
【特許文献】
【０００５】
【特許文献１】特開２００４−１５９７３９号公報
【発明の概要】
【発明が解決しようとする課題】
【０００６】
しかしながら、ＣＡＤの病変検出精度は、画像解析処理のアルゴリズムに関わる部分が大きく、アルゴリズムは病変の種類毎に異なる。そのため、病変の種類によってＣＡＤの病変検出精度は異なり、医用画像を表示する際に全てのＣＡＤ結果を表示してしまうと、読影の妨げとなるおそれがあった。
【０００７】
また、特許文献１に記載の発明のように、病変の悪性度に応じてマークを付ける場合でも、元々のアルゴリズムにおいて検出精度が低い病変に関しては、悪性度が高い部分であっても検出精度は低く、読影医の診断の支援につながらない場合もあった。
【０００８】
本発明は、上記の従来技術における問題に鑑みてなされたものであって、医用画像の読影効率を向上させることを課題とする。
【課題を解決するための手段】
【０００９】
上記課題を解決するために、請求項１に記載の医用画像表示システムは、医用画像と当該医用画像を病変の種類毎のアルゴリズムに従って解析して得られた病変解析情報とを対応付けて記憶する記憶手段と、表示手段と、ユーザによる操作指示を受け付ける操作手段と、前記病変解析情報に基づいて、病変の種類毎に当該病変の位置を図示したレイヤー画像をそれぞれ生成し、前記病変の種類毎に当該病変の位置を表示するか否かの選択指示を前記操作手段から受け付け、前記表示すると選択された病変の種類のレイヤー画像のみを前記医用画像に重ねて前記表示手段に表示させる制御手段と、を備える。
【００１０】
請求項２に記載の発明は、請求項１に記載の医用画像表示システムにおいて、前記医用画像は、乳房をＸ線撮影した乳房画像であり、前記病変の種類は、腫瘤及び微小石灰化を含む。
【００１１】
請求項３に記載の発明は、コンピュータを、医用画像を病変の種類毎のアルゴリズムに従って解析して得られた病変解析情報に基づいて、病変の種類毎に当該病変の位置を図示したレイヤー画像をそれぞれ生成する手段、前記病変の種類毎に当該病変の位置を表示するか否かの選択指示を受け付ける手段、前記表示すると選択された病変の種類のレイヤー画像のみを前記医用画像に重ねて表示手段に表示させる手段、として機能させるためのプログラムである。
【００１２】
請求項４に記載の発明は、請求項３に記載のプログラムにおいて、前記医用画像は、乳房をＸ線撮影した乳房画像であり、前記病変の種類は、腫瘤及び微小石灰化を含む。
【発明の効果】
【００１３】
請求項１、３に記載の発明によれば、病変の種類毎に病変の位置を表示するか否かを選択することができるので、医用画像の読影効率を向上させることができる。
【００１４】
請求項２、４に記載の発明によれば、乳房画像における腫瘤、微小石灰化の位置を表示するか否かを選択することができるので、乳房画像の読影効率を向上させることができる。
【図面の簡単な説明】
【００１５】
【図１】医用画像表示システムのシステム構成図である。
【図２】ＣＡＤ装置の機能的構成を示すブロック図である。
【図３】画像サーバ装置の機能的構成を示すブロック図である。
【図４】クライアント端末の機能的構成を示すブロック図である。
【図５】表示用ビットマップ画像の生成について説明するための図である。
【図６】病変の種類毎のレイヤー画像の生成について説明するための図である。
【図７】腫瘤のＣＡＤ結果と微小石灰化のＣＡＤ結果の両方を表示する場合の例である。
【図８】腫瘤のＣＡＤ結果のみを表示する場合の例である。
【図９】微小石灰化のＣＡＤ結果のみを表示する場合の例である。
【図１０】クライアント端末において実行される医用画像表示処理を示すフローチャートである。
【図１１】左右の乳房画像を表示した表示画面の例である。
【図１２】乳房画像に腫瘤のＣＡＤ結果及び微小石灰化のＣＡＤ結果を重ねて表示した表示画面の例である。
【図１３】腫瘤のＣＡＤ結果を非表示とし、微小石灰化のＣＡＤ結果のみを表示した表示画面の例である。
【図１４】微小石灰化のＣＡＤ結果を非表示とし、腫瘤のＣＡＤ結果のみを表示した表示画面の例である。
【発明を実施するための形態】
【００１６】
以下、図面を参照して、本発明に係る医用画像表示システムの一実施形態について説明する。
図１に、本実施の形態における医用画像表示システム１００のシステム構成を示す。図１に示すように、医用画像表示システム１００は、モダリティ１０、ＣＡＤ装置２０、画像サーバ装置３０及びクライアント端末４０が、ＬＡＮ（Local Area Network）等のネットワークＮを介してデータ通信可能に接続されて構成されている。ネットワークＮは、ＤＩＣＯＭ（Digital Imaging and Communications in Medicine）規格が適用されている。
【００１７】
モダリティ１０は、患者を撮影して医用画像の画像データのファイル（以下、画像ファイルという。）Ｄ１（図２参照）を生成し、この画像ファイルＤ１をＣＡＤ装置２０及び画像サーバ装置３０へそれぞれ送信する。モダリティ１０としては、ＣＲ（Computed Radiography）装置、ＤＸ（Digital X-Ray）装置等が用いられる。以下の説明においては、モダリティ１０が乳房画像撮影装置（マンモグラフィ装置）である場合について説明する。具体的には、モダリティ１０は、患者に対して乳房Ｘ線撮影を行い、撮影により得られた乳房画像の画像ファイルＤ１をＣＡＤ装置２０及び画像サーバ装置３０へそれぞれ送信する。
【００１８】
ＣＡＤ装置２０は、モダリティ１０から乳房画像の画像ファイルＤ１を受信し、乳房画像の画像解析を行い、病変解析情報（以下、マンモＣＡＤ結果ファイルという。）Ｄ２（図２参照）を生成する。
【００１９】
図２に、ＣＡＤ装置２０の機能的構成を示す。図２に示すように、ＣＡＤ装置２０は、制御部２１、操作部２２、表示部２３、通信部２４、ＲＯＭ（Read Only Memory）２５、記憶部２６を備えて構成され、各部はバス２７により接続されている。
【００２０】
制御部２１は、ＣＰＵ（Central Processing Unit）、ＲＡＭ（Random Access Memory）等から構成され、ＣＡＤ装置２０の各部の処理動作を統括的に制御する。具体的には、ＣＰＵは、操作部２２から入力される操作信号又は通信部２４により受信される指示信号に応じて、ＲＯＭ２５又は記憶部２６に記憶されている各種処理プログラムを読み出し、ＲＡＭ内に形成されたワークエリアに展開し、当該プログラムとの協働により各種処理を行う。
【００２１】
操作部２２は、カーソルキー、数字入力キー、及び各種機能キー等を備えたキーボードと、マウス等のポインティングデバイスを備えて構成され、キーボードに対するキー操作やマウス操作により入力された操作信号を制御部２１に出力する。
【００２２】
表示部２３は、ＬＣＤ（Liquid Crystal Display）により構成され、制御部２１から入力される表示データに基づいて各種画面を表示する。
【００２３】
通信部２４は、モダリティ１０、画像サーバ装置３０等の外部機器との間でデータの送受信を行うインターフェースである。
【００２４】
ＲＯＭ２５は、不揮発性の半導体メモリ等により構成され、制御プログラム、当該プログラムの実行に必要なパラメータやファイル等を記憶している。
【００２５】
記憶部２６は、ハードディスク等により構成され、各種データを記憶する。具体的には、記憶部２６には、病変の種類に応じた検出アルゴリズムに従って病変（異常陰影候補）の検出を行う検出プログラムが記憶されている。また、記憶部２６には、画像ファイルＤ１、マンモＣＡＤ結果ファイルＤ２が記憶される。
【００２６】
制御部２１は、記憶部２６に記憶されている検出プログラムとの協働により、乳房画像に対して病変の種類毎のアルゴリズムに従って解析を行い、各病変の位置を示す位置情報を含むマンモＣＡＤ結果ファイルＤ２を生成する。各病変の位置は、画像内において各病変の領域（輪郭）を示すものであってもよいし、各病変の代表点（例えば重心等）を示すものであってもよい。
【００２７】
病変（異常陰影候補）の検出アルゴリズムとしては、公知のものを適用可能である。乳房画像における腫瘤の検出アルゴリズムとしては、例えば、アイリスフィルタ、ラプラシアンフィルタ等を用いた方法が適用可能である。また、微小石灰化の検出アルゴリズムとしては、例えば、モルフォロジーフィルタ、ラプラシアンフィルタ、３重リングフィルタ等を用いた方法が適用可能である。
【００２８】
制御部２１は、生成したマンモＣＡＤ結果ファイルＤ２を、通信部２４を介して画像サーバ装置３０に送信する。
【００２９】
画像サーバ装置３０は、ＰＡＣＳ（Picture Archiving and Communication System）により構成され、モダリティ１０から受信した画像ファイルＤ１等を保存し、クライアント端末４０等の外部機器からの要求に応じて画像ファイルＤ１等を提供する。
【００３０】
図３に、画像サーバ装置３０の機能的構成を示す。図３に示すように、画像サーバ装置３０は、制御部３１、操作部３２、表示部３３、通信部３４、ＲＯＭ３５、記憶部３６を備えて構成され、各部はバス３７により接続されている。
【００３１】
制御部３１は、ＣＰＵ、ＲＡＭ等から構成され、画像サーバ装置３０の各部の処理動作を統括的に制御する。具体的には、ＣＰＵは、操作部３２から入力される操作信号又は通信部３４により受信される指示信号に応じて、ＲＯＭ３５又は記憶部３６に記憶されている各種処理プログラムを読み出し、ＲＡＭ内に形成されたワークエリアに展開し、当該プログラムとの協働により各種処理を行う。
【００３２】
操作部３２は、カーソルキー、数字入力キー、及び各種機能キー等を備えたキーボードと、マウス等のポインティングデバイスを備えて構成され、キーボードに対するキー操作やマウス操作により入力された操作信号を制御部３１に出力する。
【００３３】
表示部３３は、ＬＣＤにより構成され、制御部３１から入力される表示データに基づいて各種画面を表示する。
【００３４】
通信部３４は、モダリティ１０、ＣＡＤ装置２０、クライアント端末４０等の外部機器との間でデータの送受信を行うインターフェースである。
【００３５】
ＲＯＭ３５は、不揮発性の半導体メモリ等により構成され、制御プログラム、当該プログラムの実行に必要なパラメータやファイル等を記憶している。
【００３６】
記憶部３６は、ハードディスク等により構成され、各種データを記憶する。具体的には、記憶部３６には、モダリティ１０から受信した画像ファイルＤ１と、ＣＡＤ装置２０から受信したマンモＣＡＤ結果ファイルＤ２と、が対応付けられて記憶される。
【００３７】
制御部３１は、通信部３４を介してモダリティ１０から画像ファイルＤ１を取得する。また、制御部３１は、画像ファイルＤ１を解析して得られたマンモＣＡＤ結果ファイルＤ２を、通信部３４を介してＣＡＤ装置２０から取得する。そして、制御部３１は、取得した画像ファイルＤ１とマンモＣＡＤ結果ファイルＤ２とを対応付けて記憶部３６に記憶させる。
【００３８】
制御部３１は、クライアント端末４０から画像ファイルＤ１の取得要求があった場合に、要求された画像ファイルＤ１を記憶部３６から読み出し、クライアント端末４０に送信する。また、制御部３１は、クライアント端末４０からマンモＣＡＤ結果ファイルＤ２（先に送信した画像ファイルＤ１と対応付けられているマンモＣＡＤ結果ファイルＤ２）の取得要求があった場合に、要求されたマンモＣＡＤ結果ファイルＤ２を記憶部３６から読み出し、クライアント端末４０に送信する。
【００３９】
クライアント端末４０は、画像サーバ装置３０から取得した画像ファイルＤ１に基づいて医用画像を表示させ、当該医用画像の読影を行うための装置であって、ＰＣ（Personal Computer）等から構成される。
【００４０】
図４に、クライアント端末４０の機能的構成を示す。図４に示すように、クライアント端末４０は、制御部４１、操作部４２、表示部４３、通信部４４、ＲＯＭ４５、記憶部４６、メモリ４７を備え、各部はバス４８により接続されている。
【００４１】
制御部４１は、ＣＰＵ、ＲＡＭ等から構成され、クライアント端末４０の各部の処理動作を統括的に制御する。具体的には、ＣＰＵは、操作部４２から入力される操作信号又は通信部４４により受信される指示信号に応じて、ＲＯＭ４５又は記憶部４６に記憶されている各種処理プログラムを読み出し、ＲＡＭ内に形成されたワークエリアに展開し、当該プログラムとの協働により各種処理を行う。
【００４２】
操作部４２は、ユーザによる操作指示を受け付ける機能部である。操作部４２は、カーソルキー、数字入力キー、及び各種機能キー等を備えたキーボードと、マウス等のポインティングデバイスを備えて構成され、キーボードに対するキー操作やマウス操作により入力された操作信号を制御部４１に出力する。
【００４３】
表示部４３は、ＬＣＤにより構成され、制御部４１から入力される表示データに基づいて各種画面を表示する。
【００４４】
通信部４４は、画像サーバ装置３０等の外部機器との間でデータの送受信を行うインターフェースである。
【００４５】
ＲＯＭ４５は、不揮発性の半導体メモリ等により構成され、制御プログラム、当該プログラムの実行に必要なパラメータやファイル等を記憶している。
【００４６】
記憶部４６は、ハードディスク等により構成され、各種データを記憶する。例えば、記憶部４６には、読影を行う際に医用画像を表示部４３に表示させるための画像ビューワプログラム４６１が記憶されている。
【００４７】
メモリ４７は、半導体メモリ等により構成され、処理中のデータを記憶する。具体的には、メモリ４７には、画像サーバ装置３０から取得した画像ファイルＤ１及びマンモＣＡＤ結果ファイルＤ２、医用画像表示処理（図１０参照）により生成される表示用ビットマップ画像Ｄ３、腫瘤のレイヤー画像Ｄ４及び微小石灰化のレイヤー画像Ｄ５等が記憶される。
【００４８】
制御部４１は、通信部４４を介して、画像サーバ装置３０に対して、記憶部３６に記憶されている乳房画像の画像ファイルＤ１の取得要求を送信し、画像サーバ装置３０から乳房画像の画像ファイルＤ１を取得する。また、制御部４１は、通信部４４を介して、画像サーバ装置３０に対して、記憶部３６に記憶されているマンモＣＡＤ結果ファイルＤ２（先に取得した画像ファイルＤ１と対応付けられているマンモＣＡＤ結果ファイルＤ２）の取得要求を送信し、画像サーバ装置３０からマンモＣＡＤ結果ファイルＤ２を取得する。
【００４９】
制御部４１は、図５に示すように、取得した乳房画像の画像ファイルＤ１に基づいて、表示用ビットマップ画像Ｄ３を生成する。表示用ビットマップ画像Ｄ３は、乳房画像を表示部４３に表示させるためのビットマップデータである。
【００５０】
また、制御部４１は、図６に示すように、取得したマンモＣＡＤ結果ファイルＤ２に基づいて、病変の種類毎に、病変の位置を図示したレイヤー画像をそれぞれ生成する。具体的には、制御部４１は、マンモＣＡＤ結果ファイルＤ２に含まれる腫瘤の位置情報に基づいて、腫瘤の位置を図示した腫瘤のレイヤー画像Ｄ４を生成し、マンモＣＡＤ結果ファイルＤ２に含まれる微小石灰化の位置情報に基づいて、微小石灰化の位置を図示した微小石灰化のレイヤー画像Ｄ５を生成する。腫瘤のレイヤー画像Ｄ４は、腫瘤の位置を図示したビットマップデータであり、腫瘤の位置以外は透明を示すデータとなっている。微小石灰化のレイヤー画像Ｄ５は、微小石灰化の位置を図示したビットマップデータであり、微小石灰化の位置以外は透明を示すデータとなっている。
なお、図６では、病変の位置として、病変の領域（輪郭）を示しているが（アウトライン表示）、病変の代表点をマークにより示してもよい。
【００５１】
制御部４１は、病変の種類毎に、病変の位置を表示するか否かの選択指示を操作部４２から受け付ける。制御部４１は、操作部４２からの操作により表示すると選択された病変の種類のレイヤー画像のみを表示用ビットマップ画像Ｄ３に重ねて表示部４３に表示させる。
【００５２】
腫瘤のＣＡＤ結果と微小石灰化のＣＡＤ結果の両方を表示する場合には、制御部４１は、図７に示すように、乳房画像の表示用ビットマップ画像Ｄ３に、腫瘤のレイヤー画像Ｄ４及び微小石灰化のレイヤー画像Ｄ５を重ねて表示部４３に表示させる。
【００５３】
腫瘤のＣＡＤ結果のみを表示する場合には、制御部４１は、図８に示すように、乳房画像の表示用ビットマップ画像Ｄ３に、腫瘤のレイヤー画像Ｄ４を重ねて表示部４３に表示させる。
【００５４】
微小石灰化のＣＡＤ結果のみを表示する場合には、制御部４１は、図９に示すように、乳房画像の表示用ビットマップ画像Ｄ３に、微小石灰化のレイヤー画像Ｄ５を重ねて表示部４３に表示させる。
【００５５】
次に、動作について説明する。
図１０は、クライアント端末４０において実行される医用画像表示処理を示すフローチャートである。この処理は、制御部４１のＣＰＵと、記憶部４６に記憶されている画像ビューワプログラム４６１との協働によるソフトウェア処理によって実現される。
【００５６】
まず、ユーザの操作部４２からの操作により、読影対象となる乳房画像の画像ファイルＤ１が選択され、制御部４１の制御に従って、通信部４４により、画像サーバ装置３０に対して、選択された乳房画像の画像ファイルＤ１の取得要求が送信される。そして、制御部４１により、通信部４４を介して、画像サーバ装置３０から乳房画像の画像ファイルＤ１が取得され、メモリ４７上にロードされる（ステップＳ１）。
【００５７】
次に、制御部４１により、乳房画像の画像ファイルＤ１に基づいて、表示用ビットマップ画像Ｄ３が生成される（ステップＳ２）。生成された表示用ビットマップ画像Ｄ３は、制御部４１により、メモリ４７に格納される。そして、制御部４１により、表示用ビットマップ画像Ｄ３に基づいて、乳房画像が表示部４３に表示される（ステップＳ３）。
【００５８】
図１１に、左右の乳房画像を表示した表示画面４３１を示す。表示画面４３１の上部には、腫瘤ボタンＢ１、微小石灰化ボタンＢ２が表示されている。腫瘤ボタンＢ１は、腫瘤についてのＣＡＤ結果を表示させるためのボタンである。微小石灰化ボタンＢ２は、微小石灰化についてのＣＡＤ結果を表示させるためのボタンである。
【００５９】
次に、制御部４１により、ＣＡＤ結果を表示するか否かが判断される（ステップＳ４）。具体的には、制御部４１により、表示部４３に表示されている表示画面４３１上において、ユーザの操作部４２からの操作により、腫瘤ボタンＢ１及び微小石灰化ボタンＢ２が押下されたか否かが判断される。
【００６０】
ＣＡＤ結果を表示する場合には（ステップＳ４；ＹＥＳ）、制御部４１の制御に従って、通信部４４により、画像サーバ装置３０に対して、表示中の乳房画像の画像ファイルＤ１に対応付けられたマンモＣＡＤ結果ファイルＤ２の取得要求が送信される。そして、制御部４１により、通信部４４を介して、画像サーバ装置３０からマンモＣＡＤ結果ファイルＤ２が取得され、メモリ４７上にロードされる（ステップＳ５）。
【００６１】
次に、制御部４１により、マンモＣＡＤ結果ファイルＤ２に基づいて、病変の種類（腫瘤・微小石灰化）毎に、病変の位置を図示したレイヤー画像が生成される（ステップＳ６）。具体的には、制御部４１により、マンモＣＡＤ結果ファイルＤ２に含まれる腫瘤の位置情報に基づいて、腫瘤の位置を図示した腫瘤のレイヤー画像Ｄ４が生成され、マンモＣＡＤ結果ファイルＤ２に含まれる微小石灰化の位置情報に基づいて、微小石灰化の位置を図示した微小石灰化のレイヤー画像Ｄ５が生成される。生成された腫瘤のレイヤー画像Ｄ４及び微小石灰化のレイヤー画像Ｄ５は、制御部４１により、メモリ４７に格納される。
【００６２】
次に、制御部４１により、乳房画像に病変毎のレイヤー画像が重ねられて表示部４３に表示される（ステップＳ７）。具体的には、制御部４１により、乳房画像の表示用ビットマップ画像Ｄ３に腫瘤のレイヤー画像Ｄ４及び微小石灰化のレイヤー画像Ｄ５が重ねられて表示部４３に表示される。
【００６３】
図１２に、乳房画像に腫瘤のＣＡＤ結果及び微小石灰化のＣＡＤ結果を重ねて表示した表示画面４３２を示す。表示画面４３２の上部には、腫瘤非表示ボタンＢ３、微小石灰化非表示ボタンＢ４が表示されている。腫瘤非表示ボタンＢ３は、腫瘤についてのＣＡＤ結果を非表示にするためのボタンである。微小石灰化非表示ボタンＢ４は、微小石灰化についてのＣＡＤ結果を非表示にするためのボタンである。
【００６４】
次に、制御部４１により、ユーザの操作部４２からの操作により、腫瘤のＣＡＤ結果を非表示とする旨の選択指示があったか否かが判断される（ステップＳ８）。具体的には、制御部４１により、表示部４３に表示されている表示画面４３２上において、ユーザの操作部４２からの操作により、腫瘤非表示ボタンＢ３が押下されたか否かが判断される。腫瘤のＣＡＤ結果を非表示とする旨の選択指示があった場合には（ステップＳ８；ＹＥＳ）、制御部４１により、腫瘤のレイヤー画像Ｄ４が非表示とされる（ステップＳ９）。
【００６５】
図１３に、腫瘤のＣＡＤ結果を非表示とし、微小石灰化のＣＡＤ結果のみを表示した表示画面４３３を示す。表示画面４３３は、表示用ビットマップ画像Ｄ３に微小石灰化のレイヤー画像Ｄ５のみを重ねた状態で表示したものである。表示画面４３３の上部には、腫瘤ボタンＢ１、微小石灰化非表示ボタンＢ４が表示されている。
【００６６】
ステップＳ８において、腫瘤のＣＡＤ結果を非表示とする旨の選択指示がなかった場合（ステップＳ８；ＮＯ）、又は、ステップＳ９の後、制御部４１により、ユーザの操作部４２からの操作により、微小石灰化のＣＡＤ結果を非表示とする旨の選択指示があったか否かが判断される（ステップＳ１０）。具体的には、制御部４１により、表示部４３に表示されている表示画面４３２（図１２参照）上又は表示画面４３３（図１３参照）上において、ユーザの操作部４２からの操作により、微小石灰化非表示ボタンＢ４が押下されたか否かが判断される。微小石灰化のＣＡＤ結果を非表示とする旨の選択指示があった場合には（ステップＳ１０；ＹＥＳ）、制御部４１により、微小石灰化のレイヤー画像Ｄ５が非表示とされる（ステップＳ１１）。
【００６７】
図１４に、微小石灰化のＣＡＤ結果を非表示とし、腫瘤のＣＡＤ結果のみを表示した表示画面４３４を示す。表示画面４３４は、図１２に示す表示画面４３２上において、ユーザの操作部４２からの操作により、微小石灰化非表示ボタンＢ４が押下された場合の例であり、表示用ビットマップ画像Ｄ３に腫瘤のレイヤー画像Ｄ４のみを重ねた状態で表示したものである。表示画面４３４の上部には、腫瘤非表示ボタンＢ３、微小石灰化ボタンＢ２が表示されている。
【００６８】
一方、図１３に示す表示画面４３３上において、ユーザの操作部４２からの操作により、微小石灰化非表示ボタンＢ４が押下された場合には、図１１に示す表示画面４３１に戻る。すなわち、表示用ビットマップ画像Ｄ３に腫瘤のレイヤー画像Ｄ４又は微小石灰化のレイヤー画像Ｄ５が重ねられることなく、表示用ビットマップ画像Ｄ３のみが表示される。
【００６９】
ステップＳ４において、ＣＡＤ結果を表示しない場合（ステップＳ４；ＮＯ）、ステップＳ１０において、微小石灰化のＣＡＤ結果を非表示とする旨の選択指示がなかった場合（ステップＳ１０；ＮＯ）、又は、ステップＳ１１の後、医用画像表示処理が終了する。
【００７０】
以上説明したように、医用画像表示システム１００によれば、クライアント端末４０において、病変の種類毎に病変の位置を表示するか否かを選択することができるので、医用画像の読影効率を向上させることができる。例えば、乳房画像上に腫瘤のＣＡＤ結果のみを表示させたり、微小石灰化のＣＡＤ結果のみを表示させたり、腫瘤のＣＡＤ結果と微小石灰化のＣＡＤ結果の両方を表示させたり等、読影医の希望に応じてＣＡＤ結果の表示方法を変更させることができる。
【００７１】
なお、上記実施の形態における記述は、本発明に係る医用画像表示システムの例であり、これに限定されるものではない。システムを構成する各装置の細部構成及び細部動作に関しても本発明の趣旨を逸脱することのない範囲で適宜変更可能である。
【００７２】
例えば、上記実施の形態では、医用画像表示システム１００が独立した装置としてＣＡＤ装置２０を備える構成としたが、画像サーバ装置３０の内部にＣＡＤ装置２０を包含する形を取ってもよい。
【００７３】
また、上記実施の形態では、医用画像として乳房画像を用いた場合について説明したが、読影対象となる医用画像は、乳房以外の部位を撮影したものであってもよい。また、上記実施の形態では、ＣＡＤ装置２０の解析により検出される病変の種類として、腫瘤及び微小石灰化を例にして説明したが、他の病変についても適用可能である。
【００７４】
また、図１０に示す医用画像表示処理では、乳房画像上に全てのＣＡＤ結果を表示させた状態から病変の種類毎にＣＡＤ結果を非表示とすることとしたが、乳房画像上にＣＡＤ結果を表示させない状態から病変の種類毎にＣＡＤ結果を表示させるようにしてもよい。
【００７５】
以上の説明では、各処理を実行するためのプログラムを格納したコンピュータ読み取り可能な媒体としてＲＯＭやハードディスク等を使用した例を開示したが、この例に限定されない。その他のコンピュータ読み取り可能な媒体として、フラッシュメモリ等の不揮発性メモリ、ＣＤ−ＲＯＭ等の可搬型記録媒体を適用することも可能である。また、プログラムのデータを通信回線を介して提供する媒体として、キャリアウェーブ（搬送波）を適用することとしてもよい。
【符号の説明】
【００７６】
１０  モダリティ
２０  ＣＡＤ装置
２１  制御部
２２  操作部
２３  表示部
２４  通信部
２５  ＲＯＭ
２６  記憶部
２７  バス
３０  画像サーバ装置
３１  制御部
３２  操作部
３３  表示部
３４  通信部
３５  ＲＯＭ
３６  記憶部
３７  バス
４０  クライアント端末
４１  制御部
４２  操作部
４３  表示部
４４  通信部
４５  ＲＯＭ
４６  記憶部
４７  メモリ
４８  バス
１００  医用画像表示システム
４６１  画像ビューワプログラム
Ｄ１  画像ファイル
Ｄ２  マンモＣＡＤ結果ファイル
Ｄ３  表示用ビットマップ画像
Ｄ４  腫瘤のレイヤー画像
Ｄ５  微小石灰化のレイヤー画像
Ｎ  ネットワーク
【図１】
2011110175.tif 000003
【図２】
2011110175.tif 000004
【図３】
2011110175.tif 000005
【図４】
2011110175.tif 000006
【図５】
2011110175.tif 000007
【図６】
2011110175.tif 000008
【図７】
2011110175.tif 000009
【図８】
2011110175.tif 000010
【図９】
2011110175.tif 000011
【図１０】
2011110175.tif 000012
【図１１】
2011110175.tif 000013
【図１２】
2011110175.tif 000014
【図１３】
2011110175.tif 000015
【図１４】
2011110175.tif 000016